(57)【要約】【課題】  本発明の課題は、動物舎や美容院など、アルコールによる消毒などが行われる環境において酸臭を生じさせない脱臭機構を提供することにある。【解決手段】  脱臭機構１は、空気通路Ａ１、オゾン発生部１１１、オゾン接触部２５，３３、および有機酸捕捉部３５を備える。空気通路は、空気を通過させるための通路である。オゾン発生部は、オゾンを発生させる。オゾン接触部は、空気に含まれる臭気物質にオゾンを接触させるためのものであり、空気通路に配置される。有機酸捕捉部は、有機酸を捕捉するためのものであり、オゾン接触部の空気流れ方向下流側に配置される。【選択図】      図１
2007029270.tif 000002
【特許請求の範囲】
【請求項１】
空気を通過させるための空気通路（Ａ１）と、
オゾンを発生させるオゾン発生部（１１１）と、
前記空気通路に配置される、前記空気に含まれる臭気物質に前記オゾンを接触させるためのオゾン接触部（２５，３３）と、
前記オゾン接触部の前記空気流れ方向下流側に配置される、有機酸を捕捉するための有機酸捕捉部（３５）と、
を備える、脱臭機構（１）。
【請求項２】
前記有機酸捕捉部は、脱着可能である、
請求項１に記載の脱臭機構。
【請求項３】
前記有機酸捕捉部は、水洗可能である、
請求項２に記載の脱臭機構。
【請求項４】
前記有機酸捕捉部は、光半導体触媒を含む、
請求項３に記載の脱臭機構。
【請求項５】
前記有機酸捕捉部は、光半導体触媒機能を有するアパタイトを含む、
請求項３に記載の脱臭機構。
【請求項６】
前記有機酸捕捉部は、ハニカム構造を有する、
請求項１から５のいずれかに記載の脱臭機構。
【請求項７】
前記有機酸捕捉部は、陰イオン交換樹脂を含む、
請求項１または２に記載の脱臭機構。
【請求項８】
１ｖｏｌ．ｐｐｂ以上のアルコール濃度を示す空気が存在する環境において使用される脱臭機構であって、
前記空気を通過させるための空気通路と、
オゾンを発生させるオゾン発生部と、
前記空気通路に配置される、前記空気に含まれる臭気物質に前記オゾンを接触させるためのオゾン接触部と、
前記オゾン接触部の前記空気流れ方向下流側に配置される、有機酸を捕捉するための有機酸捕捉部と、
を備える、脱臭機構。
【請求項９】
空気を通過させるための空気通路（Ａ１）と、
前記空気通路に配置され、前記空気に含まれる臭気物質を吸着する吸着材（３３）と、
前記吸着材の空気流れ方向上流側に配置され、オゾンを発生するオゾン発生部（１１１）と、
前記吸着材の前記空気流れ方向下流側に配置され、光半導体触媒、光半導体触媒機能を有するアパタイト、および陰イオン交換樹脂より成る群から選択される少なくとも１つを含むフィルタ（３５）と、
を備える、脱臭機構（１）。
【請求項１０】
空気を通過させるための空気通路（Ａ１）と、
前記空気通路にオゾンを供給するオゾン供給部（１１５）と、
前記オゾン供給部の空気流れ方向下流側に配置され、前記空気と前記オゾンとを攪拌混合する攪拌混合部（２５）と、
前記攪拌混合部の空気流れ方向下流側に配置され、光半導体触媒、光半導体触媒機能を有するアパタイト、および陰イオン交換樹脂より成る群から選択される少なくとも１つを含むフィルタ（３５）と、
を備える、脱臭機構（１）。
【発明の詳細な説明】
【技術分野】
【０００１】
本発明は、脱臭機構、特に１ｖｏｌ．ｐｐｂ以上のアルコール濃度を示す空気が存在する環境において優れた脱臭機能を発揮する脱臭機構に関する。
【背景技術】
【０００２】
従来から、オゾンを用いて脱臭を行うオゾン脱臭装置の存在が広く知られている（例えば、特許文献１〜３参照）。
【特許文献１】特許第２６９９６６６号明細書
【特許文献２】特許第３３８２８５７号明細書
【特許文献３】特開２００１−２６２６６３号公報
【発明の開示】
【発明が解決しようとする課題】
【０００３】
ところで、本願発明者らが顧客の求めに応じて実験用のラットや、犬、マウス等を飼育するための動物舎の近傍や美容院などに公知のオゾン脱臭装置を設置したところ、本願発明者らはその数日後に顧客から酸臭がするとの報告を受けた。この報告を受けて、本願発明者らは、この酸臭の原因について鋭意調査した。そして、本願発明者らは、動物舎や美容院などにおいて消毒用にエタノールが用いられていることが酸臭発生の原因であることを突き止めた。つまり、エタノールがオゾンにより酸化されて酢酸になり、その酢酸が酸臭の元となっていたということである。
【０００４】
本発明の課題は、動物舎や美容院など、アルコールによる消毒などが行われる環境において酸臭を生じさせない脱臭機構を提供することにある。
【課題を解決するための手段】
【０００５】
第１発明に係る脱臭機構は、空気通路、オゾン発生部、オゾン接触部、および有機酸捕捉部を備える。空気通路は、空気を通過させるための通路である。オゾン発生部は、オゾンを発生させる。オゾン接触部は、空気に含まれる臭気物質にオゾンを接触させるためのものであり、空気通路に配置される。有機酸捕捉部は、有機酸を捕捉するためのものであり、オゾン接触部の空気流れ方向下流側に配置される。
【０００６】
この脱臭装置では、有機酸捕捉部が、オゾン接触部の空気流れ方向下流側に配置される。このため、この脱臭装置は、動物舎や美容院など、アルコールによる消毒などが行われる環境であっても、アルコールがオゾンにより酸化されて生成する有機酸を排出することを防ぐことができる。したがって、この脱臭装置では、酸臭が発生するのを防ぐことができる。
【０００７】
第２発明に係る脱臭機構は、第１発明に係る脱臭機構であって、有機酸捕捉部は、脱着可能である。このため、この脱臭機構では、有機酸捕捉部を交換することができる。したがって、この脱臭機構では、有機酸捕捉部を常時、効力を発揮できる状態に維持することができる。
第３発明に係る脱臭機構は、第２発明に係る脱臭機構であって、有機酸捕捉部は、水洗可能である。このため、この脱臭装置では、有機酸捕捉部の交換に費やされるコストを削減することができる。したがって、この脱臭装置では、ランニングコストを低く抑えることができる。
【０００８】
第４発明に係る脱臭機構は、第３発明に係る脱臭機構であって、有機酸捕捉部は、光半導体触媒を含む。このため、この脱臭機構では、水で洗いきれずに有機酸捕捉部に残存する物質も天日干しすれば光分解することができる。
第５発明に係る脱臭機構は、第３発明に係る脱臭機構であって、有機酸捕捉部は、光半導体触媒機能を有するアパタイトを含む。なお、ここにいう「光半導体触媒機能を有するアパタイト」とは、例えば、カルシウムヒドロキシアパタイトの一部のカルシウム原子がイオン交換などの手法によってチタン原子に置換されたアパタイトなどである。このため、この脱臭機構では、水で洗いきれずに有機酸捕捉部に残存する物質も天日干しすれば光分解することができる。また、有機酸捕捉部の有機酸に対する吸着能力を向上させることができる。
【０００９】
第６発明に係る脱臭機構は、第１発明から第５発明のいずれかに係る脱臭機構であって、有機酸捕捉部は、ハニカム構造を有する。このため、この脱臭装置では、被処理空気の処理効率を向上させることができる。
第７発明に係る脱臭機構は、第１発明または第２発明に係る脱臭機構であって、有機酸捕捉部は、陰イオン交換樹脂を含む。このため、この脱臭装置では、有機酸を効率的に捕捉することができる。
【００１０】
第８発明に係る脱臭機構は、１ｖｏｌ．ｐｐｂ以上のアルコール濃度を示す空気が存在する環境において使用される脱臭機構であって、空気通路、オゾン発生部、オゾン接触部、および有機酸捕捉部を備える。空気通路は、空気を通過させるための通路である。オゾン発生部は、オゾンを発生させる。オゾン接触部は、空気に含まれる臭気物質にオゾンを接触させるためのものであり、空気通路に配置される。有機酸捕捉部は、有機酸を捕捉するためのものであり、オゾン接触部の空気流れ方向下流側に配置される。
【００１１】
通常、１ｖｏｌ．ｐｐｂ以上のアルコール濃度を示す空気が存在する環境において、アルコールが酸化されて有機酸が生じると、人間の嗅覚でその臭いを感知することができる。
しかし、この脱臭装置では、有機酸捕捉部が、オゾン接触部の空気流れ方向下流側に配置される。このため、この脱臭装置は、１ｖｏｌ．ｐｐｂ以上のアルコール濃度を示す空気が存在する環境であっても、アルコールがオゾンにより酸化されて生成する有機酸を排出することを防ぐことができる。したがって、この脱臭装置では、酸臭が発生するのを防ぐことができる。
【００１２】
第９発明に係る脱臭機構は、空気通路、吸着材、オゾン発生部、およびフィルタを備える。空気通路は、空気を通過させるための通路である。吸着材は、空気に含まれる臭気物質を吸着するものであって、空気通路に配置される。なお、ここにいう「吸着材」とは、例えば、ゼオライト、アルミナ、シリカゲル等である。オゾン発生部は、オゾンを発生するものであって、吸着材の空気流れ方向上流側に配置される。フィルタは、光半導体触媒、光半導体触媒機能を有するアパタイト、および陰イオン交換樹脂より成る群から選択される少なくとも１つを含む。そして、このフィルタは、吸着材の空気流れ方向下流側に配置される。
【００１３】
この脱臭装置では、フィルタが、光半導体触媒、光半導体触媒機能を有するアパタイト、および陰イオン交換樹脂より成る群から選択される少なくとも１つを含み、吸着材の空気流れ方向下流側に配置される。このため、この脱臭装置は、動物舎や美容院など、アルコールによる消毒などが行われる環境であっても、アルコールがオゾンにより酸化されて生成する有機酸を排出することを防ぐことができる。したがって、この脱臭装置では、酸臭が発生するのを防ぐことができる。
【００１４】
第１０発明に係る脱臭装置は、空気通路、オゾン供給部、攪拌混合部、およびフィルタを備える、空気通路は、空気を通過させるための通路である。オゾン供給部は、空気通路にオゾンを供給する。攪拌混合部は、空気とオゾンとを攪拌混合するものであって、オゾン供給部の空気流れ方向下流側に配置される。フィルタは、光半導体触媒、光半導体触媒機能を有するアパタイト、および陰イオン交換樹脂より成る群から選択される少なくとも１つを含む。そして、このフィルタは、攪拌混合部の空気流れ方向下流側に配置される。
【００１５】
この脱臭装置では、フィルタが、光半導体触媒、光半導体触媒機能を有するアパタイト、および陰イオン交換樹脂より成る群から選択される少なくとも１つを含み、攪拌混合部の空気流れ方向下流側に配置される。このため、この脱臭装置は、動物舎や美容院など、アルコールによる消毒などが行われる環境であっても、アルコールがオゾンにより酸化されて生成する有機酸を排出することを防ぐことができる。したがって、この脱臭装置では、酸臭が発生するのを防ぐことができる。
【発明の効果】
【００１６】
第１発明に係る脱臭機構は、動物舎や美容院など、アルコールによる消毒などが行われる環境であっても、アルコールがオゾンにより酸化されて生成する有機酸を排出することを防ぐことができる。したがって、この脱臭装置では、酸臭が発生するのを防ぐことができる。
第２発明に係る脱臭機構では、有機酸捕捉部を交換することができる。したがって、この脱臭機構では、有機酸捕捉部を常時、効力を発揮できる状態に維持することができる。
【００１７】
第３発明に係る脱臭機構では、有機酸捕捉部の交換に費やされるコストを削減することができる。したがって、この脱臭装置では、ランニングコストを低く抑えることができる。
第４発明に係る脱臭機構では、水で洗いきれずに有機酸捕捉部に残存する物質も天日干しすれば光分解することができる。
【００１８】
第５発明に係る脱臭機構では、水で洗いきれずに有機酸捕捉部に残存する物質も天日干しすれば光分解することができる。また、有機酸捕捉部の有機酸に対する吸着能力を向上させることができる。
第６発明に係る脱臭機構では、被処理空気の処理効率を向上させることができる。
第７発明に係る脱臭機構では、有機酸を効率的に捕捉することができる。
【００１９】
第８発明に係る脱臭機構は、１ｖｏｌ．ｐｐｂ以上のアルコール濃度を示す空気が存在する環境であっても、アルコールがオゾンにより酸化されて生成する有機酸を排出することを防ぐことができる。したがって、この脱臭装置では、酸臭が発生するのを防ぐことができる。
第９発明に係る脱臭機構は、動物舎や美容院など、アルコールによる消毒などが行われる環境であっても、アルコールがオゾンにより酸化されて生成する有機酸を排出することを防ぐことができる。したがって、この脱臭装置では、酸臭が発生するのを防ぐことができる。
【００２０】
第１０発明に係る脱臭装置は、動物舎や美容院など、アルコールによる消毒などが行われる環境であっても、アルコールがオゾンにより酸化されて生成する有機酸を排出することを防ぐことができる。したがって、この脱臭装置では、酸臭が発生するのを防ぐことができる。
【発明を実施するための最良の形態】
【００２１】
以下、本発明の実施の形態に係る脱臭装置を、図１を用いて詳述する。
〔脱臭装置の構造〕
本発明の実施の形態に係る脱臭装置１は、アルコール消毒が必要な動物舎や美容院向けに設計されている脱臭装置であって、図１に示されるように、主に、本体ケーシング１０、オゾン発生ユニット１１、シロッコファンユニット２１、および臭気物質処理ユニット３１から構成されている。以下、この脱臭装置１を構成する部材１０，１１，２１，３１について詳述する。
【００２２】
（１）本体ケーシング
本体ケーシング１０は天板１０２、前板（図１では取り外されている）、背板、底板、右側板、および左側板１０１から成る柱状の箱体であり、その内部に形成される空間は第１隔離板Ｗ１および第２隔離板Ｗ２によって高さ方向に３つに区画されている。なお、以下、３つに区画されたこれらの空間を、下から順に第１空間Ｒ１、第２空間Ｒ２、および第３空間Ｒ３と呼ぶ。また、この本体ケーシング１０では左側板１０１のうち第２空間Ｒ２に対応する部分に給気口２０が設けられており、この給気口２０は金網２３で覆われている。また、この本体ケーシング１０では、天板１０２に複数の長孔で構成される第２排気口３０が設けられている。また、この本体ケーシング１０において、天板１０２は、着脱可能になっている。
【００２３】
（２）オゾン発生ユニット
オゾン発生ユニット１１は、図１に示されるように、第１空間Ｒ１に配置されており、主に、オゾナイザー１１１およびエアポンプ１１２から構成される。
エアポンプ１１２は、第１パイプ１１３を介してオゾナイザー１１１に配管接続されている。また、このエアポンプ１１２は、第１隔離板Ｗ１および第２隔離板Ｗ２を貫通して設けられる第２パイプ１１４を介して排気空間Ｅ１（後述）に配管接続されている。そして、このエアポンプ１１２は、排気空間Ｅ１から第２パイプ１１４を介して吸い込んだ空気を、第１パイプ１１３を介して連続的にオゾナイザー１１１に配送する。
【００２４】
オゾナイザー１１１は、第１隔離板Ｗ１を貫通して設けられる第３パイプ１１５を介して給気管２２と配管接続されている。そして、このオゾナイザー１１１は、無声放電を行うことにより、エアボンプ１１２から第１パイプ１１３を介して配送される空気中の酸素をオゾン化する。その後、オゾナイザー１１１において生成したオゾンは、エアポンプ１１２により、第３パイプ１１５を通って給気管２２に供給される。
【００２５】
なお、シロッコファンユニット２１の第１排気口２７（後述）の内部にはオゾンセンサ（図示せず）が設けられており、オゾナイザー１１１には放電極への印加電圧を調節するオゾナイザー制御部（図示せず）が設けられている。そして、オゾナイザー制御部は、オゾンセンサと通信接続されており、シロッコファンユニット２１の第１排気口２７におけるオゾン濃度が１ｖｏｌ．ｐｐｍ以下（０．１〜１ｖｏｌ．ｐｐｍ）となるように放電極への印加電圧を制御する。
【００２６】
（３）シロッコファンユニット
シロッコファンユニット２１は、いわゆる羽根型擬枠機であり、図１に示されるように、第２空間Ｒ２に配置されている。このシロッコファンユニット２１は、図１に示されるように、主に、略円柱状のファンケーシング２４、ファンケーシング２４に内蔵される羽根車２５、および回転軸Ｘを中心として羽根車２５を回転駆動させるモータ（図示せず）から構成されている。
【００２７】
ファンケーシング２４は、図１に示されるように、羽根車２５の回転軸Ｘの延長線を中心として放射状に形成される開口群２６を片側に有している。そして、この開口群２６の外周部には給気管２２の一端が接続されている。なお、この給気管２２の他端は、本体ケーシング１０に設けられている給気口２０に取り付けられている。また、このファンケーシング２４は、図１に示されるように、羽根車２５の回転軌道の接線方向に延びる第１排気口２７を有している。そして、この第１排気口２７は、臭気物質処理ユニット３１のユニットケーシング３２（後述）と連通している。
【００２８】
（４）臭気物質処理ユニット
臭気物質処理ユニット３１は、図１に示されるように、主に第３空間Ｒ１に配置されており、主に、ユニットケーシング３２、臭気物質吸着ハニカムフィルタ３３、オゾン分解触媒フィルタ３４、および有機酸吸着フィルタ３５から構成されている。
ユニットケーシング３２は、上下に開口した略柱状の筒体であって、第２隔離板Ｗ２を貫通して設けられている。また、図１から明らかなように、ユニットケーシング３２の下端の開口は、シロッコファンユニット２１の第１排気口２７に取り付けられている。そして、このユニットケーシング３２には、第１排気口２７の取り付け側から順に、臭気物質吸着ハニカムフィルタ３３、オゾン分解触媒フィルタ３４、および有機酸吸着フィルタ３５が収容されている。つまり、シロッコファンユニット２１から供給される被処理空気は、臭気物質吸着ハニカムフィルタ３３、オゾン分解触媒フィルタ３４、および有機酸吸着フィルタ３５の順に通過することとなる。
【００２９】
臭気物質吸着ハニカムフィルタ３３は厚さ方向に延びる多数の貫通孔を有するハニカムフィルタであり（図２参照）、その孔壁には例えば、ゼオライト、アルミナ、シリカゲル等からなる孔径２〜１０Ａの多数の細孔を有する多孔質材が塗装されている。
オゾン分解触媒フィルタ３４は、厚さ方向に延びる多数の貫通孔を有するハニカムフィルタであり（図２参照）、その孔壁には例えば、ＦｅＯ、ＭｎＯ2等の卑金属化合物や活性炭が塗装されている。そして、このオゾン分解触媒フィルタ３４は、上述したように、臭気物質吸着ハニカムフィルタ３３の空気流れ方向下流側に配置され、臭気物質吸着ハニカムフィルタ３３を通過した空気に含まれる未反応の残留オゾンを分解還元する役目を担う。
【００３０】
有機酸吸着フィルタ３５は、厚さ方向に延びる多数の貫通孔を有するハニカムフィルタであり（図２参照）、その孔壁には例えばアナターゼ型の二酸化チタン粉体が塗装されている。この有機酸吸着フィルタ３５は、上述したように、オゾン分解触媒フィルタ３４の空気流れ方向下流側に配置されており、臭気物質吸着ハニカムフィルタ３３およびオゾン分解触媒フィルタ３４を通過した空気に含まれる有機酸を吸着する役目を担う。また、この有機酸吸着フィルタ３５は、ユニットケーシング３２に対して着脱可能に取り付けられている。また、この有機酸吸着フィルタ３５は、水洗により再利用可能となる。
【００３１】
そして、有機酸吸着フィルタ３５の空気流れ方向下流側には排気空間Ｅ１が広がっており、排気空間Ｅ１は第２排気口３０を介して装置外の空間と連通している。
なお、給気口２０、給気管２２、ファンケーシング２４、ユニットケーシング３２、排気空間Ｅ１、および第２排気口３０により形成される空間は、互いに連通しており、空気通路Ａ１を形成していることになる。
【００３２】
〔脱臭装置の運転〕
ここでは、脱臭装置１の運転について説明する。
脱臭装置１は商用電源（図示せず）に接続されており、脱臭装置１の運転停止スイッチ（図示せず）が運転状態にされると、商用電源からエアポンプ１１２、オゾナイザー１１１、およびシロッコファンユニット２１のモータに通電が行われる。
【００３３】
エアポンプ１１２およびオゾナイザー１１１に通電が行われると、エアポンプ１１２が、排気空間Ｅ１に存在する空気を第２パイプ１１４を介して吸い込んだ後、その空気を第１パイプ１１３を介して連続的にオゾナイザー１１１に配送する。
オゾナイザー１１１は、無声放電を行うことにより、エアボンプ１１２から第１パイプ１１３を介して配送される空気中の酸素をオゾン化する。その後、オゾナイザー１１１において生成したオゾンは、エアポンプ１１２により第３パイプ１１５を通って給気管２２に供給される。
【００３４】
一方、シロッコファンユニット２１のモータに通電が行われると、モータにより羽根車２５が回転駆動され、給気口２０から給気管２２を介してファンケーシング２４内に空気が吸い込まれる。つまり、ファンケーシング２４内には、オゾナイザー１１１において生じたオゾンと被処理空気とがほぼ同時に吸い込まれることになる。そして、ファンケーシング２４内に取り込まれたオゾンと被処理空気とは、ファンケーシング２４内で十分に混合された後、第１排気口２７を介して臭気物質処理ユニット３１へ吹き出されることになる（以下、このオゾンと被処理空気との混合ガスを「オゾン含有被処理空気」という）。このとき、オゾン含有被処理空気中に存在する臭気物質の一部は、オゾンにより酸化あるいは酸化分解される。なお、オゾン含有被処理空気中にアルコールが存在する場合、アルコール分子のほとんどは、酸化分解されて水と二酸化炭素になることはなく、アルデヒドや有機酸に変換される。
【００３５】
臭気物質処理ユニット３１に吹き出されたオゾン含有被処理ガスは、臭気物質吸着ハニカムフィルタ３３、オゾン分解触媒フィルタ３４、および有機酸吸着フィルタ３５の順に各フィルタ３３，３４，３５を通過して排気空間Ｅ１に至った後に第２排気口３０から排出される。なお、オゾン含有被処理空気が臭気物質吸着ハニカムフィルタ３３に到達すると、オゾン含有被処理空気中の臭気物質、臭気物質の酸化物、および臭気物質の酸化分解物などが臭気物質吸着ハニカムフィルタ３３のゼオライト、アルミナ、シリカゲル等の多孔質材に吸着され、オゾンによりさらに酸化あるいは酸化分解される。また、オゾン含有被処理空気がオゾン分解触媒フィルタ３４に到達すると、オゾン含有被処理空気中のオゾンが分解される。また、オゾン含有被処理空気が有機酸吸着フィルタ３５に到達すると、オゾン含有被処理空気中に存在する有機酸や、酸化分解にまで至らなかった臭気物質などが有機酸吸着フィルタ３５のアナターゼ型の二酸化チタン粉体に吸着される。臭気物質処理ユニット３１では、このようにして被処理空気中の臭気分子を除去し、被処理空気を脱臭する。
【００３６】
そして、脱臭された被処理空気は、排気空間Ｅ１に至り、第２排気口３０から排出される。なお、このとき、脱臭された被処理空気の一部は、第２パイプ１１４を介してエアポンプ１１２に吸い込まれ、オゾナイザー１１１のオゾン生成用空気として利用される。
〔有機酸吸着フィルタの取替処理および再生処理〕
上述したように、脱臭装置１の運転とともに、有機酸吸着フィルタ３５のアナターゼ型の二酸化チタン粉体には、有機酸や、酸化分解にまで至らなかった臭気物質などが吸着し堆積していく。つまり、脱臭装置１の運転時間が長くなれば長くなるほど、有機酸吸着フィルタ３５の吸着性能が低下することになる。しかし、この有機酸吸着フィルタ３５は、上述したように、水洗することにより再利用可能となるものである。したがって、本実施の形態では、脱臭装置１の運転時間が一定時間を超えると、脱臭装置１のユーザ等が以下に示される取替作業や再生作業を実施する。
【００３７】
（１）取替作業
サービスエンジニア等が、本体ケーシング１０の天板１０２を取り外した後、ユニットケーシング３２から有機酸吸着フィルタ３５を取り外し、新しい有機酸吸着フィルタ又は再生処理された有機酸吸着フィルタを取り付ける。
（２）再生作業
サービスエンジニア等は、取り外した有機酸吸着フィルタ３５を水洗いし、天日干しする。なお、有機酸吸着フィルタ３５には、アナターゼ型の二酸化チタンが担持されているので、水で洗いきれなかった物質も天日干しされる間に光分解反応を受け、分解処理されることになる。
【００３８】
〔脱臭装置の特徴〕
（１）
本発明の実施の形態に係る脱臭装置１では、臭気物質吸着ハニカムフィルタ３３の空気流れ方向下流側に有機酸吸着フィルタ３５が配置される。したがって、この脱臭装置１は、空気中にアルコールが存在する環境であっても、酸臭の発生を抑制することができる。
【００３９】
（２）
本発明の実施の形態に係る脱臭装置１では、ユニットケーシング３２に対して脱着可能であり且つ脱着後に水洗することにより再生可能な有機酸吸着フィルタ３５が採用されている。したがって、この脱臭装置１では、ランニングコストを低く抑えることができる。
（３）
本発明の実施の形態に係る脱臭装置１では、シロッコファンユニット２１によって被処理空気とオゾンとが強制混合されるので、臭気物質やオゾンが偏在しない均一な混合ガスが得られる。このため、この脱臭装置１では、有害物質分子とオゾン分子との衝突確率が高められる。したがって、この脱臭装置１では、オゾン濃度が低いにも関わらず、また、仮に臭気物質濃度が低くても優れた脱臭性能を得ることができる。
【００４０】
具体的には、臭気物質が体臭、生ゴミ臭、トイレ臭、汗や尿の臭い等の原因となる塩基性化合物（例えば、アンモニアやトリメチルアミン）等であれば、本脱臭装置１は、ＪＩＳ  Ｋ  ０８０４の検知管式ガス測定器では検知できない程度まで脱臭を行うことができる。
また、臭気物質が刺激的な酸臭の原因となるアルデヒド化合物（例えば、ホルムアルデヒドやアセトアルデヒド）等であれば、本脱臭装置１は、厚生労働省より簡易測定器として平成１５年６月１日から適用されたホルムアルデヒド検知器（理研計器株式会社製  商品番号ＦＰ−３０（指定番号１５０１））により検出される臭気物質濃度が０．０１ｐｐｍ以下となる程度まで脱臭を行うことができる。
【００４１】
また、臭気物質が腐った玉ねぎや卵の臭いや温泉臭の原因となる硫黄化合物（例えば、硫化水素やメチルメルカプタン）等であれば、本脱臭装置１は、ＪＩＳ  Ｋ  ０８０４の検知管式ガス測定器では検知されない程度まで脱臭を行うことができる。
また、臭気物質が焼き肉臭などの原因となる有機酸化合物であれば、ＪＩＳ  Ｋ  ０８０４の検知管式ガス測定器では検知されない程度まで脱臭を行うことができる。
【００４２】
なお、ここで、「検知されない程度」とは、通常の１０倍の１０００ｍＬのサンプルを測定した場合においても検知できない程度である（通常は、１００ｍＬのサンプルにて測定することになっている）。
（４）
本発明の実施の形態に係る脱臭装置１では、エアポンプ１１２が、第２パイプ１１４を介して排気空間Ｅ１（後述）に配管接続されている。つまり、エアポンプ１１２は、脱臭された空気をオゾナイザー１１１に供給することになる。
【００４３】
ここで、仮に、オゾナイザー１１１のオゾン生成用空気として脱臭前の被処理空気を用いたとすると、オゾナイザー１１１が臭気物質により損傷を受けるおそれがある。また、ボンベ等からオゾン生成用空気を供給すると、装置が大型化してしまうという問題がある。
しかし、本発明の実施の形態に係る脱臭装置１のように脱臭後の空気の一部をオゾナイザー１１１のオゾン生成用空気として利用すれば、脱臭装置１の運転開始初期には臭気物質を含む空気をオゾン生成用空気として使用せざるを得ないものの、定常運転時ではオゾナイザー１１１が臭気物質により損傷を受けるおそれがない。
【００４４】
（５）
本発明の実施の形態に係る脱臭装置１では、ファンケーシング２４内にオゾンと被処理空気とがほぼ同時に吸い込まれる。そして、そのオゾンと被処理空気とは、モータにより回転駆動される羽根車により攪拌される。この攪拌により、臭気物質とオゾンとの衝突確率が高められる。
【００４５】
（６）
本発明の実施の形態に係る脱臭装置１では、シロッコファンユニット２１から吹き出されたオゾン含有被処理空気は、臭気物質吸着ハニカムフィルタ３３に接触する。このため、この脱臭装置１では、オゾン含有被処理空気が臭気物質吸着ハニカムフィルタ３３周辺の狭い空間に偏在することになる。したがって、この脱臭装置１では、臭気物質とオゾンとの衝突確率がさらに高められている。
【００４６】
（７）
本発明の実施の形態に係る脱臭装置１では、臭気物質吸着ハニカムフィルタ３３の空気流れ方向下流側にオゾン分解触媒フィルタ３４が配置される。このため、この脱臭装置１では、人体に有害となるオゾンが装置１外に流出するのを防ぐことができる。
〔変形例〕
（Ａ）
先の実施の形態に係る脱臭装置１では、オゾナイザー１１１から延びる第３パイプ１１５が給気管２２に配管接続される構造が採用されていたが、この構造に代えて、オゾナイザー１１１から延びる第３パイプ１１５がシロッコファンユニット２１の第１排気口２７に配管接続される構造を採用してもよい。
【００４７】
（Ｂ）
先の実施の形態に係る脱臭装置１に採用された有機酸吸着フィルタ３５には、アナターゼ型の二酸化チタン粉体が塗装されていたが、これに代えて、有機酸吸着フィルタ３５に強塩基性アニオン交換樹脂や弱塩基性アニオン交換樹脂などのイオン交換樹脂が塗装されていてもよい。なお、これらのイオン交換樹脂は多孔質のイオン交換樹脂であってもかまわない。
【００４８】
（Ｃ）
先の実施の形態に係る脱臭装置１に採用された有機酸吸着フィルタ３５には、アナターゼ型の二酸化チタン粉体が塗装されていたが、これに代えて、光半導体触媒機能を有するアパタイトが塗装されていてもよい。なお、ここにいう「光半導体触媒機能を有するアパタイト」とは、例えば、カルシウムヒドロキシアパタイトの一部のカルシウム原子がイオン交換などの手法によってチタン原子に置換されたアパタイトなどである。
【００４９】
（Ｄ）
先の実施の形態に係る脱臭装置１に採用された有機酸吸着フィルタ３５には、アナターゼ型の二酸化チタン粉体が塗装されていたが、これに代えて、チタン酸ストロンチウム、酸化亜鉛、酸化タングステン、および酸化鉄などに代表される金属酸化物、Ｃ60などのフラーレンに代表される炭素系の光半導体触媒、遷移金属からなるナイトライド、オキシナイトライド等、他の光半導体触媒を塗装してもよい。
【００５０】
（Ｅ）
先の実施の形態に係る脱臭装置１に採用された有機酸吸着フィルタ３５はハニカム構造を有していたが、有機酸吸着フィルタ３５の形状は特に限定されず、バグフィルターのような不織布の形状であってもよい。
（Ｆ）
先の実施の形態に係る脱臭装置１では、送風機としてシロッコファンユニット２１を採用したが、これに代えて、プロペラファンを備えたユニット等を採用してもかまわない。
【００５１】
（Ｇ）
先の実施の形態に係る脱臭装置１では、オゾナイザー制御部が、シロッコファンユニット２１の第１排気口２７におけるオゾン濃度が１ｐｐｍ以下（０．１〜１ｖｏｌ．ｐｐｍ）となるように放電極への印加電圧を制御したが、オゾン濃度はその用途により適宜変更してもかまわない。
【００５２】
（Ｈ）
先の実施の形態に係る脱臭装置１に採用された有機酸吸着フィルタ３５は水洗により再利用可能であったが、これに代えて、使い捨てのケミカルフィルター等を採用してもかまわない。
（Ｉ）
先の実施の形態に係る脱臭装置１は、アルコール消毒が必要な動物舎や美容院への設置に適するが、その他、一般のオフィスビル、病院、ホテル、食品工場、地下鉄構内、遊戯場、電車内、印刷工場、射出成形工場、クリーンルーム、塗料工場、ごみ焼却炉、水産加工場、発酵工場、生ごみ処理場、し尿・下水処理場などに設置されてもかまわない。
【００５３】
〔実施例〕
以下、本発明に係る脱臭装置１の性能を評価した例を示す。
【実施例１】
【００５４】
図１に示される脱臭装置１に、有機酸吸着フィルタ３５として「粒状の光半導体触媒を含むフィルタ」を装着した。なお、このフィルタは、市販の光触媒能力を有する酸化チタン４ｋｇを不織布に詰めた後、その不織布を上方と下方を開放した６００ｘ４５０ｘ２５ｍｍのステンレス製の枠に入れて作製したものである。また、このフィルタの上面と下面は２メッシュの網で固定した。
【００５５】
次に、エタノールを入れたタンク及び液体ポンプを用意し、図１に示す脱臭装置１の給気口２０に液体ポンプから延びるチューブを挿入した後、脱臭装置１および液体ポンプを運転させた。なお、このとき、脱臭装置１は、風量が６００ｍ3／ｈ、オゾン発生量が１．０ｇ／ｈとなるように運転させた。また、このとき、第１排気口２７に設けられるサンプリング孔にオゾン検知管（光明理化学工業製１８２Ｕ）を挿入してオゾン濃度を測定したところ、オゾン濃度は０．８５〜０．９５ｖｏｌ．ｐｐｍで一定となった。
【００５６】
液体ポンプにより給気口２０に滴下注入されたエタノールは、シロッコファンユニット２１により生成される気流により気化し、第１排気口２７から臭気物質処理ユニット３１に送り込まれた。なお、このとき、液体ポンプは、滴下エタノール量が１０ｍｇ／ｍｉｎとなるように運転させた。そして、脱臭装置１内における気化後のエタノール濃度は０．５ｖｏｌ．ｐｐｍと計算された。
【００５７】
そして、エタノールを注入してから８時間後および２４時間後に、第２排気口３０近傍に酢酸検知管（ガステック（株）製８１Ｌ）を近づけて酢酸濃度を測定した。結果を表１に示す。
【実施例２】
【００５８】
実施例１において有機酸吸着フィルタ３５として「粒状の光触媒チタンアパタイトを含むフィルタ」を装着した以外は実施例１と同様の条件で試験を行った。結果を表１に示す。
なお、このフィルタは、市販の光触媒チタンアパタイト４kgを、実施例１と同様に、不織布に詰めた後、その不織布を上方と下方を開放した６００ｘ４５０ｘ２５ｍｍのステンレス製の枠に入れて作製したものである。なお、このフィルタの上面と下面は２メッシュの網で固定した。
【実施例３】
【００５９】
実施例１において有機酸吸着フィルタ３５として「光半導体触媒を含むハニカム形状のフィルタ」を装着した以外は実施例１と同様の条件で試験を行った。
なお、このフィルタは、三菱製紙（株）製のフィルタ（商品名：アクア・ラジットＳ）を上方と下方を開放した６００ｘ４５０ｘ２５ｍｍのステンレス製の枠に入れて作製したものである。また、三菱製紙（株）製のフィルタは、ハニカムセルサイズが３．３ｘ２．１ｍｍで、質量が４ｋｇであった。
【実施例４】
【００６０】
実施例１において有機酸吸着フィルタ３５として「光触媒チタンアパタイトを含むハニカム形状のフィルタ」を装着した以外は実施例１と同様の条件で試験を行った。結果を表１に示す。
なお、このフィルタは、ダイキン工業（株）製の光クリエール（商品名）用の空気清浄フィルタを折り曲げてハニカム形状に加工し、上方と下方を開放した６００ｘ４５０ｘ２５ｍｍのステンレス製の枠に入れて作製したものである。また、利用した空気清浄フィルタは、質量が４ｋｇであった。
【実施例５】
【００６１】
実施例１において有機酸吸着フィルタ３５として「粒状の陰イオン交換樹脂を含むフィルタ」を装着した以外は実施例１と同様の条件で試験を行った。結果を表１に示す。
なお、このフィルタは、オルガノ（株）製の陰イオン交換樹脂（商品名：アンバーライトＩＲＡ−４０１）５ｋｇを不織布に詰めた後、その不織布を上方と下方を開放した６００ｘ４５０ｘ２５ｍｍのステンレス製の枠に入れて作製したものである。また、このフィルタの上面と下面は２メッシュの網で固定した。
【実施例６】
【００６２】
実施例１において有機酸吸着フィルタ３５として「実施例３において採用された光半導体触媒を含むハニカム形状のフィルタであって、上記試験後に水槽に浸漬して水切りを３回繰り返した後、９０℃の恒温槽内にてＮ2パージをしながら１５時間乾燥して再生したもの」を装着した以外は実施例１と同様の条件で試験を行った。結果を表１に示す。
（比較例１）
実施例１において有機酸吸着フィルタ３５を装着しなかった以外は実施例１と同様の条件で試験を行った。結果を表１に示す。
【００６３】
【表１】
2007029270.tif 000003
【実施例７】
【００６４】
実施例３において採用された「光半導体触媒を含むハニカム形状のフィルタ」を有機酸吸着フィルタ３５として装着した脱臭装置１を某研究所動物舎のドア付近の廊下に設置して、脱臭試験を行った。なお、その位置で空気分析を行ったところ、その空気中にはエタノールが０．２ｖｏｌ．ｐｐｍ含まれていた。そして、試験開始から２週間、酸の脱臭効果が継続し、第２排気口３０近傍において動物舎の悪臭および酸臭が感じられることはなかった。
（比較例２）
実施例７において有機酸吸着フィルタ３５を装着しなかった以外は実施例７と同様の条件で試験を行った。その結果、動物舎特有の悪臭は除去できたが３日後に第２排気口３０近傍において酸臭が感じられた。
【産業上の利用可能性】
【００６５】
本発明に係る脱臭装置は、アルコール消毒が必要な動物舎や美容院向けの脱臭装置として有用である。
【図面の簡単な説明】
【００６６】
【図１】本発明の実施の形態に係る脱臭装置の構造を表す斜視図である。
【図２】本発明の実施の形態に係る脱臭装置に採用される各種フィルタの構造を表す斜視図である。
【符号の説明】
【００６７】
１      脱臭装置
１１      オゾン発生ユニット（オゾン供給部）
２５      羽根車（オゾン接触部、攪拌部）
３３      臭気物質吸着ハニカムフィルタ（オゾン接触部、吸着材）
３５      有機酸吸着フィルタ（有機酸捕捉部、フィルタ）
１１１      オゾナイザー（オゾン発生部）
Ａ１      空気通路
【図１】
2007029270.tif 000004
【図２】
2007029270.tif 000005